(57)【要約】【課題】フィンガープレート、円板カム、ガイド部などの摺動面における摺動性に優れ、低トルク・省電力の駆動モータで動作する小型軽量で安価な輸液ポンプ、および、作業性に優れる該輸液ポンプの製造方法を提供する。【解決手段】軸受１４および１５で支持される回転軸１６に固定された複数の円板カム１２および１３と、この円板カムの外周面に接触し該円板カムの偏心回転に伴い進退移動する複数のフィンガープレートと、該フィンガープレートを摺動自在に挟持するガイド部とを備えてなる蠕動運動方式の輸液ポンプであって、上記円板カム１２および１３は樹脂成形体であり、それぞれが偏心位置に貫通孔を有する樹脂成形体であり、該貫通孔を通して円板カムの上死点面が回転軸１６の回転方向に順次移動して一周するように回転軸１６に組み付けられ連結されてなる。【選択図】図７
2007167316.tif 000002
【特許請求の範囲】
【請求項１】
軸受で支持された回転軸に固定される複数の円板カムと、この円板カムの外周面に接触し該円板カムの偏心回転に伴い進退移動する複数のフィンガープレートと、該フィンガープレートを摺動自在に挟持するガイド部とを備えてなる蠕動運動方式の輸液ポンプであって、
前記複数の円板カムは、それぞれが偏心位置に貫通孔を有する樹脂成形体であり、該貫通孔を通して円板カムの上死点面が回転軸の回転方向に順次移動して一周するように前記回転軸に組み付けられ連結されてなることを特徴とする輸液ポンプ。
【請求項２】
前記回転軸の少なくとも前記円板カムを固定する部位が角柱形状であり、前記円板カムは、円板カムＡと、該円板カムＡの貫通孔に対して360度を円板カムの個数で均等割りした角度を偏角させた貫通孔を有する円板カムＢの２種類であり、
前記円板カムＡと前記円板カムＢとは、交互に前記回転軸に組み付けられるとともに、各円板カムは360度を円板カムの個数で均等割りした角度ずつ同一方向に偏角して相互に連結されることを特徴とする請求項１記載の輸液ポンプ。
【請求項３】
前記円板カムは、一方の軸方向側面に凸部を、他方の軸方向側面に凹部をそれぞれ有し、円板カムＡの凸部が隣り合う円板カムＢの凹部に、円板カムＢの凸部が隣り合う円板カムＡの凹部にそれぞれ嵌合されて、円板カムＡと円板カムＢとが交互に連結されていることを特徴とする請求項２記載の輸液ポンプ。
【請求項４】
前記円板カム、前記フィンガープレートおよび前記ガイド部は、その相互接触がそれぞれ凝着を起こさない樹脂組成物の成形体であることを特徴とする請求項１、請求項２または請求項３記載の輸液ポンプ。
【請求項５】
軸受で支持された回転軸に固定される複数の円板カムと、この円板カムの外周面に接触し該円板カムの偏心回転に伴い進退移動する複数のフィンガープレートと、該フィンガープレートを摺動自在に挟持するガイド部とを備えてなる蠕動運動方式の輸液ポンプの製造方法であって、
偏心位置に貫通孔を有する樹脂製の円板カムＡと、該円板カムＡの貫通孔に対して360度を円板カムの個数で均等割りした角度を偏角させた貫通孔を有する樹脂製の円板カムＢの、２種類の円板カムを組み付ける円板カムユニット組立工程と、
該円板カムユニット組立工程で得られた円板カムユニットと、前記フィンガープレートと、該フィンガープレートを摺動自在に挟持する前記ガイド部とから輸液ポンプを組み立てる輸液ポンプ組立工程とを備えてなり、
前記円板カムユニット組立工程は、前記円板カムＡと前記円板カムＢとを交互に前記回転軸に組み付けるとともに、各円板カムを 360度を円板カムの個数で均等割りした角度ずつ同一方向に偏角して相互に連結する工程であることを特徴とする輸液ポンプの製造方法。
【発明の詳細な説明】
【技術分野】
【０００１】
本発明は、蠕動運動方式（リニアペリスタルティック方式）を採用した輸液ポンプおよびその製造方法に関する。
【背景技術】
【０００２】
医療分野において、輸液チューブによる薬液の注入や自動点滴などの用途に蠕動運動方式（リニアペリスタルティック方式）などの輸液ポンプが従来より用いられている。
この方式の輸液ポンプは、輸液チューブをプレッシャープレートとの間で挟持する輸液作動部を備え、偏心位置をずらして同軸に複数並設された円板カムを所定の角速度で回転させることにより、該円板カムの外周面に接触しガイド部間に並設されたフィンガープレートが上記輸液チューブと上記プレッシャープレートとの間で順次押圧閉塞するように動作し、チューブ内に充填された輸液を一定方向へ送液している。点滴などに使用されるこの種の輸液ポンプは、所持者が携帯しながら移動する場合もあり、そのサイズの小型化および軽量化、また電池駆動などを可能とするため省電力などが図られている。
従来、小型・軽量化に対応できるとともに、フィンガープレート、円板カム、ガイド部などの摺動面における摺動性に優れる輸液ポンプとして、円板カム、フィンガープレートおよびガイド部が樹脂成形体からなり、その相互接触がそれぞれ凝着を起こさない樹脂組成物の成形体である輸液ポンプが知られている（特許文献１参照）。
【０００３】
しかしながら、上記従来の輸液ポンプにおける円板カムは、複数の円板カムが偏心して連結された形状の円板カムユニットとして、樹脂組成物を一体成形して製造するため、円板カムの軸方向外周面に金型割り線（ＰＬ痕）が発生し、このＰＬ痕がフィンガープレートとの摺動抵抗を悪化させる要因となっている。軸方向外周面のＰＬ痕は複雑な凹凸を有しているため、機械加工での除去作業は困難であり、手作業に頼らざるを得ないものの、手作業でも満足できる程度にＰＬ痕を除去することが困難であるという問題がある。
また、この対策として円板カムをユニットの一体成形ではなく個々に作製して組み立てようとすると、輸液流量を平準化する必要から、角度を均等にずらして同軸に組付けなくてはならないために作業効率が悪いという問題がある。
【特許文献１】特開２００４−８１７３７号公報
【発明の開示】
【発明が解決しようとする課題】
【０００４】
本発明は、このような問題に対処するためになされたもので、蠕動運動式の輸液ポンプにおいて、フィンガープレート、円板カム、ガイド部などの摺動面における摺動性に優れ、低トルク・省電力の駆動モータで動作する小型軽量で安価な輸液ポンプ、および、作業性に優れる該輸液ポンプの製造方法を提供することを目的とする。
【課題を解決するための手段】
【０００５】
本発明の輸液ポンプは、軸受で支持された回転軸に固定される複数の円板カムと、この円板カムの外周面に接触し該円板カムの偏心回転に伴い進退移動する複数のフィンガープレートと、該フィンガープレートを摺動自在に挟持するガイド部とを備えてなる蠕動運動方式の輸液ポンプであって、上記複数の円板カムは、それぞれが偏心位置に貫通孔を有する樹脂成形体であり、該貫通孔を通して円板カムの上死点面が回転軸の回転方向に順次移動して一周するように上記回転軸に組み付けられ連結されてなることを特徴とする。
ここで、本発明における上死点面とは、偏心した円板カムの貫通孔軸心から最も距離が遠い位置にある外径面を意味する。なお、円板カムの外径面において、貫通孔軸心から最も距離が遠い位置は厳密には面ではなく線であるが、本発明では、該線の部分を含む微小範囲の外形面を上記の上死点面とする。
円板カムの上死点面が回転軸の回転方向に順次移動して一周するように上記回転軸に組み付けられ連結されることにより、これらの円板カムからなる円板カムユニットの軸方向断面が（360度／円板カムの数）の位相差の正弦波形となる。
【０００６】
上記回転軸の少なくとも円板カムを固定する部位が角柱形状であり、上記円板カムは、円板カムＡと、該円板カムＡの貫通孔に対して360度を円板カムの個数で均等割りした角度を偏角させた貫通孔を有する円板カムＢの２種類であり、上記円板カムＡと円板カムＢとは、交互に上記回転軸に組み付けられるとともに、各円板カムは360度を円板カムの個数で均等割りした角度ずつ同一方向に偏角して相互に連結されることを特徴とする。
【０００７】
上記円板カムは、一方の軸方向側面に凸部を、他方の軸方向側面に凹部をそれぞれ有し、円板カムＡの凸部が隣り合う円板カムＢの凹部に、円板カムＢの凸部が隣り合う円板カムＡの凹部にそれぞれ嵌合されて、円板カムＡと円板カムＢとが交互に連結されていることを特徴とする。
【０００８】
上記円板カム、上記フィンガープレートおよび上記ガイド部は、その相互接触がそれぞれ凝着を起こさない樹脂組成物の成形体であることを特徴とする。
【０００９】
本発明の輸液ポンプの製造方法は、軸受で支持された回転軸に固定される複数の円板カムと、この円板カムの外周面に接触し該円板カムの偏心回転に伴い進退移動する複数のフィンガープレートと、該フィンガープレートを摺動自在に挟持するガイド部とを備えてなる蠕動運動方式の輸液ポンプの製造方法であって、偏心位置に貫通孔を有する樹脂製の円板カムＡと、該円板カムＡの貫通孔に対して360度を円板カムの個数で均等割りした角度を偏角させた貫通孔を有する樹脂製の円板カムＢの、２種類の円板カムを組み付ける円板カムユニット組立工程と、該円板カムユニット組立工程で得られた円板カムユニットと、上記フィンガープレートと、該フィンガープレートを摺動自在に挟持する上記ガイド部とから輸液ポンプを組み立てる輸液ポンプ組立工程とを備えてなり、上記円板カムユニット組立工程は、上記円板カムＡと円板カムＢとを交互に上記回転軸に組み付けるとともに、各円板カムを 360度を円板カムの個数で均等割りした角度ずつ同一方向に偏角して相互に連結する工程であることを特徴とする。
【発明の効果】
【００１０】
本発明の輸液ポンプは、円板カムを円板カムユニットの一体成形品とせず、１個毎に成形したものを連結して用いるので、円板カムの軸方向外周面にＰＬ痕がなく円板カムとフィンガープレートとの摺動性に優れる。円板カムを１個毎に成形する場合、円板カムの一方の側面がパーティングラインに設定できるため、円板カムの軸方向外周面にＰＬ痕はできない。
【００１１】
また、上記回転軸の少なくとも上記円板カムを固定する部位が角柱形状であり、円板カムは、円板カムＡと、該円板カムＡの貫通孔に対して360度を円板カムの個数で均等割りした角度を偏角させた貫通孔を有する円板カムＢの２種類であり、上記円板カムＡと上記円板カムＢとは、交互に上記回転軸に組み付けられるとともに、各円板カムは360度を円板カムの個数で均等割りした角度ずつ同一方向に偏角して相互に連結されるので、該円板カムの偏心回転に伴うフィンガープレートの進退移動により輸液が可能となる。
特に、上記２種類の円板カムを用いることにより、角柱形状の回転軸にその角数の倍の個数の円板カムを、360度を該円板カムの個数で均等割りした角度ずつ偏角して取り付けられるので、回転軸の角数と同数しか円板カムを偏角させて取り付けられない円板カム１種類のみを用いる場合と比較して、フィンガープレートを滑らかに蠕動運動させることができ、輸液流量を平準化できる。
【００１２】
さらに、円板カム、フィンガープレートおよびガイド部が、その相互接触部分でそれぞれ凝着を起こさない樹脂組成物の成形体であるので、凝着摩耗を抑え、摺動性に優れる。
これらの結果、駆動モータの低トルク化および省電力が図れ、輸液ポンプ本体の小型軽量化が可能となる。
【００１３】
本発明の輸液ポンプの製造方法は、回転軸の形状を考慮した 2 種類の円板カムを回転軸に交互に組み付けて円板カムユニットを組み立てるので、偏心位置を均等にずらした円板カムユニットの組み立てが容易であり、輸液ポンプの品質および生産効率を向上させることができる。
【発明を実施するための最良の形態】
【００１４】
一体成形して製造することから生じる、円板カムユニットの軸方向外周面のＰＬ痕の除去が困難である問題と、その対策として円板カムを個々に成形して組み立てようとすると、角度を均等にずらして同軸に組付けなくてはならないために、作業効率が悪いという問題とに対処すべく鋭意検討を行なった。その結果、回転軸を６角柱として、円板カムに６角形の貫通孔と、一方の側面に凸部と、他方の側面に凹部とをそれぞれ設けた、円板カムＡと、６角形の貫通孔が円板カムＡに対し 30 度偏角した円板カムＢの 2 種類を作製し、円板カムＡの凸部が隣り合う円板カムＢの凹部に嵌合するように交互に取り付けて、円板カムユニットとすることにより、従来の一体成形による円板カムユニットのＰＬ痕の問題を解決できるとともに、偏心位置を正確に容易に位置決めできて作業効率を向上できることを見出すに至った。本発明はこのような知見に基づくものである。
【００１５】
本発明の輸液ポンプを図１、図２および図３により説明する。図１は輸液ポンプの全体図を、図２は図１におけるＡ−Ａ断面図を、図３は図２におけるＢ−Ｂ断面図をそれぞれ示す。
図１に示すように、蠕動運動方式の輸液ポンプは、壁部分にチューブ装着部７ａが設けられた輸液作動部１と、プレッシャープレート８がチューブ装着部７ａに対向配置された扉８ａと、チューブ装着部７ａに装着される輸液チューブ７とから構成される。チューブ装着部７ａに輸液チューブ７を装着して扉８ａを閉めることにより、プレッシャープレート８により輸液チューブ７が押さえつけられる。
【００１６】
輸液作動部１を図２および図３を参照して説明する。輸液作動部１は、輸液作動部本体に設けられた軸受５で回転自在に支持されている回転軸６と、該回転軸６に固定された複数の円板カム２と、この各円板カムの外周面に接触し、円板カムの偏心回転に伴い回転軸６と垂直方向に進退移動するフィンガープレート３と、フィンガープレート３を両側面から挟持し摺動自在にガイドするガイド部４とを備えている。ここで、軸受５、円板カム２、フィンガープレート３、ガイド部４は、相互接触により、それぞれ凝着を起こさない樹脂組成物の成形体であることが好ましい。
【００１７】
図２に示すように、円板カム２に対応して並設された複数個のフィンガープレート３の先端部３ａを正弦波形状とし、蠕動運動により液を一方向に輸送できるように、円板カム２は貫通孔を通して、円板カムの上死点面が回転軸６の回転方向に順次移動して一周するように回転軸６に組み付けられ連結されている。円板カム２およびフィンガープレート３の数は、輸液チューブ７を順次押圧する蠕動運動が可能であれば任意の数とすることができる。
【００１８】
駆動用モータ９により回転軸６を所定角速度で回転させると、該回転軸に固定された円板カム２が同じ角速度で回転する。この円板カム２の偏心回転に伴い、この外周面２ａに接触する複数個のフィンガープレート３は、輸液作動部本体に設置されたガイド部４の摺動面４ａで接触しつつガイドされ、輸液チューブ７を押圧する先端部３ａがそれぞれ（ 360度／円板カム２の数）の位相差で正弦波形をなす進退運動を行なう。この結果、輸液チューブ７は、一方の側から他方の側へと順次押圧閉塞され、この内部に充填された輸液を一定方向へ送液する。
【００１９】
円板カムは、その偏心回転によりフィンガープレートを進退運動させ、輸液チューブを順次押圧閉塞する必要があるので、円板カムに設けられる貫通孔の軸心が、円板カムの軸心と重ならない位置とする。
本発明における円板カムは、円板カムＡと、該円板カムＡの貫通孔に対して360度を円板カムの個数で均等割りした角度を偏角させた貫通孔を有する円板カムＢの２種類で構成される。
【００２０】
回転軸の円板カムを固定する部位が n 角柱形状（ｎは３以上の整数）である場合、円板カムの個数は、円板カムＡが n 個、円板カムＢが n 個の合計 2 n 個とする。この場合、円板カムＡは n 角柱形状の断面である n 角形の貫通孔を、円板カムＢは360 度を 円板カムの個数 2 n で除して均等割りした角度だけ偏角させた n 角形の貫通孔をそれぞれ有する形状とする。
円板カムＡと円板カムＢとは、交互に回転軸にそれぞれの貫通孔を通して組み付けられるとともに連結される。組み付け時においては、各円板カムＡおよび円板カムＢは360度を円板カムの個数 2 n で均等割りした角度ずつ同一方向に偏角させて相互に連結される。よって、隣り合う円板カムＡと円板カムＢとは、360度を円板カムの個数 2 ｎで除した角度だけ偏角し、一つおきに組み付けられた円板カムＡ同士および円板カムＢ同士は、それぞれ 360 度を n で除した角度だけ偏角する。
【００２１】
回転軸が６角柱（ｎ＝６）の場合の円板カムについて図４および図５に基づいて説明する。図４（ａ）〜（ｃ）は、円板カムＡの軸方向両側面図およびＣ−Ｃ断面図を、図５（ａ）〜（ｃ）は、円板カムＢの軸方向両側面図およびＤ−Ｄ断面図をそれぞれ示す。
円板カムＡ１２は、回転軸の６角柱形状の断面である６角形の貫通孔１２ｃと、図４（ｃ）に示す一方の軸方向側面に形成された凸部１２ｂと、図４（ａ）に示す他方の軸方向側面に形成された凹部１２ａとを有する。図４（ａ）に示すように、円板カムＡ１２の円板軸心と、貫通孔１２ｃの６角形軸心とは距離Ｌだけ離間している。また、貫通孔１２ｃの６角形軸心から最も遠い位置にある外径面１２ｄが、円板カムＡ１２の上死点面である。
円板カムＢ１３は、回転軸の６角柱形状の断面である６角形の貫通孔１３ｃと、図５（ｃ）に示す一方の軸方向側面に形成された凸部１３ｂと、図５（ａ）に示す他方の軸方向側面に形成された凹部１３ａとを有する。また、貫通孔１３ｃの６角形軸心から最も遠い位置にある外径面１３ｄが、円板カムＢ１３の上死点面である。なお、円板カムＡ１２と円板カムＢ１３との外径寸法は同一である。
図５（ａ）および図５（ｃ）に示すように、円板カムＢ１３における貫通孔１３ｃの６角形軸心は、円板カムＢ１３の円板軸心から距離Ｌだけ離間するとともに、円板カムＡ１２の貫通孔１２ｃの軸心位置に対して 30 度偏角している。
【００２２】
円板カムＡ１２の凸部１２ｂと凹部１２ａは、円板カムＡ１２の表裏同じ位置に形成されており、円板カムＢ１３の凸部１３ｂと凹部１３ａは、円板カムＢ１３の貫通孔１３ｃの軸心と上死点面を通る中心線を対象にして60度ずれた位置に形成されている。回転軸に合わせ、円板カムＡ１２の凸部１２ｂに円板カムＢ１３凹部１３ａを差し込むだけで、円板カムＡ１２と円板カムＢ１３を30 度偏角して組み合わせることができる。さらに、円板カムＢ１３の凸部１３ｂに円板カムＡ１２凹部１２ａを差し込むだけで、円板カムＢ１３と円板カムＡ１２を30 度偏角して組み合わせることができる。
このように、円板カムＡ１２および円板カムＢ１３における軸方向側面の凸部と凹部を、偏角方向を考慮した位置に設けることにより、組み付け時の方向間違えを防止でき、正確かつ容易に複数個の円板カムを組み付け、円板カムユニットを製造することができる。
【００２３】
図４および図５に示す円板カムＡおよび円板カムＢを用いた円板カムユニットおよびその製造方法（円板カムユニット組立工程）を図６および図７に基づいて説明する。なお、図６は２種類の円形カムの組み付け手順を、図７（ａ）は円板カムユニットの断面図を、図７（ｂ）は図７（ａ）において円板カムＡ１２のＥ−Ｅ断面から軸受１５の方向に向かって見た図を、図７（ｃ）は図７（ａ）において円板カムＢ１３のＦ−Ｆ断面から軸受１５の方向に向かって見た図をそれぞれ示す。
図７（ａ）に示すように、円板カムユニットは、円板カムＡ１２および円板カムＢ１３の各 1 個を 1 組として交互に６組（円板カムは計１２個）を６角柱形状の回転軸１６に貫通して取り付けられる。回転軸１６は、両端をスペーサー１０を介して軸受１４および軸受１５により回転自在に支持され、各軸受はＥ形止め輪１１により軸方向移動を制限されている。
【００２４】
図４（ａ）、図５（ａ）に示すように、円板カムＢ１３の貫通孔は、円板カムＡ１２に対して 30度偏角しているため、円板カムＡ１２と円板カムＢ１３とを同じ回転軸１６を通して組み付けると、図６（ａ）に示すように、これらは30度偏角した状態となる。このとき、円板カムＡの上死点面１２ｄと、円板カムＢの上死点面１３ｄとは回転軸の回転方向に３０度移動した位置となる。さらに、図６（ｂ）に示すように、該円板カムＢ１３に隣接させて、他の円板カムＡ１２を同じ回転軸１６に通して組み付けると、該円板カムＡ１２は、隣接する上記円板カムＢ１３に対して30度偏角した状態となる。
なお、組み付け時においては、一つおきに組み付けられた円板カムＡ同士および円板カムＢ同士が、同一方向に60度偏角した状態となるように、偏角方向を考慮した向きで組み付ける。具体的には、図６（ｂ）に示すように、円板カムＡを、図６（ａ）における円板カムＡの位置から60度だけ回転させた向きで円板カムＢに組み付ける。このとき、最初の円板カムＡの上死点面１２ｄと、円板カムＢを１個挟んだ、次の円板カムＡの上死点面１２ｄとは回転軸の回転方向に６０度移動した位置となる。
円板カムＡと円板カムＢの組み付け方を間違えた場合、輸液チューブを押圧するフィンガープレートの先端部が正弦波形とならず、円板カムの偏心回転に伴うフィンガープレートの進退移動による輸液が困難となる。
上記の図６（ａ）および図６（ｂ）に示す手順に従い、円板カムＡ１２と円板カムＢ１３とを交互に合計で１２個組み付けることにより、円板カムの上死点面が回転軸の回転方向に順次移動して一周するように組み付けられ、軸方向断面形状が30度で均等割りされた位相差で正弦波形をなす円板カムユニットとなる（図７（ａ）〜（ｃ）参照）。
【００２５】
以上のような形状を有する円板カムユニットの偏心回転に伴い、フィンガープレートは、その先端部がそれぞれ（ 360度／円板カムの数）の均等な位相差で正弦波形をなす進退運動を行なう（図２参照）。この結果、輸液チューブは、一方の側から他方の側へと順次押圧閉塞され、この内部に充填された輸液が一定方向へ送液される。
【００２６】
得られた円板カムユニットと、この円板カムの外周面に接触し該円板カムの偏心回転に伴い進退移動するフィンガープレートと、該フィンガープレートを摺動自在に挟持するガイド部とを組み立て（輸液ポンプ組立工程）、これらを備えてなる蠕動運動方式の輸液ポンプを製造する。
本発明の輸液ポンプの製造方法は、上記の円板カムユニット組立工程と、輸液ポンプ組立工程とを備えてなる製造方法である。
【００２７】
上記軸受５、１４、１５、円板カム２、円板カムＡ１２、円板カムＢ１３、フィンガープレート３、ガイド部４などの摺動部材は樹脂組成物の成形体である。上記樹脂組成物の主成分となる樹脂としては、ポリフェニレンエーテル（以下、ＰＰＥと記す）樹脂、ポリエーテルイミド（以下、ＰＥＩと記す）樹脂、ポリアセタール（以下、ＰＯＭと記す）樹脂、ポリフェニレンスルフィド（以下、ＰＰＳと記す）樹脂、ポリアミド樹脂、ポリテトラフルオロエチレン（以下、ＰＴＦＥと記す）樹脂等が例示できる。フィンガープレート３とガイド部４のいずれか一方は、ＰＰＥ樹脂の成形体とする。
また、上記樹脂に潤滑成分を配合した潤滑性樹脂組成物を好適に用いることができる。潤滑成分としては、液状、ゲル状、固体状、粉末状の潤滑性付与成分であれば使用でき、具体的には、ＰＴＦＥ樹脂、二硫化モリブデン、黒鉛などの固体潤滑材、潤滑油、グリース等が挙げられる。
【００２８】
円板カム外周面２ａ、ガイド部摺動面４ａなどの摺動摩擦面においては、摺動表面の摩耗により樹脂の移着膜の付着・堆積が起こり両部材が相互に凝着する、いわゆる凝着摩耗が起こり易い。摩耗の程度は、表面粗さ、温度、両摩耗材の親和性に依存し、特に同一の樹脂を主成分とする樹脂組成物間では親和性が強く凝着摩耗が起こりやすい。このため、摺動摩擦面にて相互に接触する部材は、相互に異なる樹脂を主成分とする樹脂組成物の成形体であることが好ましい。特に、本発明の輸液ポンプにおいては、円板カム２、円板カムＡ１２、円板カムＢ１３とフィンガープレート３との間で摺動抵抗が大きく摩擦による発熱量も多いため、相互に異なる樹脂を主成分とする樹脂組成物で形成することが好ましい。
【００２９】
各摺動部材として好適な樹脂組成物を以下に説明する。
ガイド部４を形成する樹脂は、輸液作動部本体と一体成形してもそりが小さく寸法精度に優れるＰＥＩ樹脂およびＰＰＥ樹脂が好ましく、それらにフッ素樹脂を充填させたものがより好ましい。ＰＥＩ樹脂としては、ウルテム（日本ＧＥ社製）、ＰＰＥ樹脂としては、ノリル（日本ＧＥ社製）、ベアリーＰＤ５００３（ＮＴＮ精密樹脂社製）などが挙げられる。
【００３０】
フィンガープレート３は、ガイド部４と摺動面４ａにて摺動することから、相手材であるガイド部４の材料と摺動特性の優れたＰＥＩ樹脂、ＰＰＳ樹脂、ポリアミド樹脂、ＰＰＥ樹脂、ＰＯＭ樹脂等、またはこれらの樹脂を主成分とする樹脂組成物の成形体であることが好ましい。具体的には、ＰＯＭ樹脂組成物としてベアリーＤＭ５０３１（ＮＴＮ精密樹脂社製）、ＰＰＳ樹脂組成物としてベアリーＡＳ５０００、ＡＳ５０５２、ＡＳ５０５４（ＮＴＮ精密樹脂社製）、ポリアミド樹脂組成物としてベアリーＮＹ５０００（ＮＴＮ精密樹脂社製）、ＰＰＥ樹脂としてノリル（日本ＧＥ社製）、ベアリーＰＤ５００３（ＮＴＮ精密樹脂社製）などが挙げられる。
【００３１】
また、凝着摩耗を抑制するため、フィンガープレート３の樹脂成形体はガイド部４と異なる樹脂を主成分とする樹脂組成物の成形体とすることが好ましい。
凝着摩耗の抑制、摺動性に優れることから、フィンガープレート３にＰＰＥ樹脂を用いた場合では、ガイド部４および円板カム２の一方には、ＰＯＭ樹脂を用いることが好ましい。また、フィンガープレート３にＰＯＭ樹脂を用いた場合では、ガイド部４には、ＰＰＥ樹脂を用いることが好ましい。
【００３２】
円板カム２、円板カムＡ１２、円板カムＢ１３は、ＰＥＩ樹脂、ＰＯＭ樹脂、ＰＰＳ樹脂、ポリアミド樹脂等、またはこれらの樹脂を主成分とする樹脂組成物の成形体であって、凝着摩耗を抑えるため、フィンガープレート３と異なる樹脂を主成分とする樹脂組成物の成形体とすることが好ましい。
【００３３】
軸受５、１４、１５は、回転軸６、１６との摺動性および軽量化を考慮して、すべり軸受としてＰＯＭ樹脂、ＰＰＳ樹脂、ポリアミド樹脂、ＰＴＦＥ樹脂等、またはこれらの樹脂を主成分とする樹脂組成物の成形体であることが好ましい。ＰＴＦＥ樹脂組成物として、具体的には、ベアリーＦＬ３０００、ＦＬ３０３０、ＦＬ３７００（ＮＴＮ精密樹脂社製）などが挙げられる。また、軸受５は転がり軸受とすることもできる。
【００３４】
軸受５、１４、１５、円板カム２、円板カムＡ１２、円板カムＢ１３、フィンガープレート３、ガイド部４などの摺動部材を潤滑成分が配合された潤滑性樹脂組成物の成形体とすることにより、金属などの材質の場合のようにグリースなどの潤滑剤を塗布しなくとも摺動特性に優れる。具体的には、各摺動面の最大静摩擦係数 μs が 0.15 以下程度である。
また、定期的なメンテナンスも必要なくなるため、維持コストが大幅に削減できる。
また、互いに摺動する部材を異なる樹脂を主成分とする樹脂組成物の成形体とすることにより、トルクロスの主原因である凝着摩耗を抑制できる。これらの結果、モータの大幅な低トルク化および省電力を実現でき、これに伴い輸液ポンプの小型軽量化が図れる。
【００３５】
円板カムは、上記樹脂組成物を射出成形等により成形した後、必要に応じて機械加工にて成形バリを除去して得られる。
また、本発明の輸液ポンプは、医療分野において輸液チューブによる薬液の注入や自動点滴などの用途に用いられる小型軽量のポンプであることから、円板カムの外径は、φ10〜20mm 程度であり、円板カムの円板中心と、貫通孔中心との軸方向断面での距離Ｌは、1〜5mm 程度である。
本発明の輸液ポンプにおける円板カムと、従来の円板カムとの比較を下記の表１に示す。
【００３６】
【表１】
2007167316.tif 000003
【産業上の利用可能性】
【００３７】
本発明の輸液ポンプは、円板カムを円板カムユニットとして一体成形せず、１個毎に成形したものを連結して用いるので、円板カムの軸方向外周面にＰＬ痕がなく円板カムとフィンガープレートとの摺動性に優れ、また回転軸の形状を考慮した偏角度の異なる 2 種類の円板カムを回転軸に交互に組み付けるので、容易に偏角位置を均等にずらして同軸に組付け可能であり、フィンガープレートの滑らかな蠕動運動により輸液流量を平準化することができる。
この結果、駆動モータの低トルク化、省電力化が図れ、通常のポンプ輸送ではせん断力が大きく、機械的摩擦を受けて変質しやすい薬液の輸送や、破壊されやすいエマルジョン粒子が配合されている流体の輸送などに用いられる医療用、食品加工用、化粧品加工用などの輸液ポンプとして好適に利用できる。
【図面の簡単な説明】
【００３８】
【図１】本発明に係る輸液ポンプの全体図である
【図２】図１におけるＡ−Ａ断面図である。
【図３】図２におけるＢ−Ｂ断面図である。
【図４】円板カムＡの軸方向両側面図およびＣ−Ｃ断面図である。
【図５】円板カムＢの軸方向両側面図およびＤ−Ｄ断面図である。
【図６】２種類の円形カムの組み付け手順を示す図である。
【図７】円形カムユニットの全体図である。
【符号の説明】
【００３９】
１  輸液動作部
２  円板カム
３  フィンガープレート
４  ガイド部
５  軸受
６  回転軸
７  輸液チューブ
８  プレッシャープレート
９  駆動モータ
１０  スペーサー
１１  Ｅ形止め輪
１２  円板カムＡ
１３  円板カムＢ
１４  軸受
１５  軸受
１６  回転軸
【図１】
2007167316.tif 000004
【図２】
2007167316.tif 000005
【図３】
2007167316.tif 000006
【図４】
2007167316.tif 000007
【図５】
2007167316.tif 000008
【図６】
2007167316.tif 000009
【図７】
2007167316.tif 000010